(57)【特許請求の範囲】
【請求項１】
互いに着脱自在なベースユニットと表示灯支柱ユニットとを備え、
上記ベースユニットは、取付対象の装置の側壁に取り付けられるベース側ブラケットと、上記側壁から装置外へ導出された第１の電気コネクタとを含み、
上記表示灯支柱ユニットは、表示灯と、この表示灯を上端に取り付ける支柱と、支柱の下端を固定するフレームと、フレームから延設されベース側ブラケットに係脱自在なユニット側ブラケットと、表示灯から支柱内を経由して支柱の下端から導出され第１の電気コネクタに取り外し可能に連結される第２の電気コネクタと、背面に開放部を有し、支柱の下端、ユニット側ブラケット、フレームおよび第２の電気コネクタを収容するハウジングとを含み、
このハウジングは、ユニット側ブラケットとは別体で形成されており、ユニット側ブラケットおよびフレームとは互いに固定されており、
ベースユニットおよび表示灯支柱ユニットを互いに固定するために、表示灯支柱ユニットのハウジングをベースユニットのベース側ブラケットに締結する取付ねじをハウジングの外から操作可能としてあり、
ベース側ブラケットには、取付ねじが正立状態の表示灯支柱ユニットのハウジングのねじ挿通孔を通してねじ込まれる正立取付用のねじ孔と、取付ねじが倒立状態の表示灯支柱ユニットのハウジングのねじ挿通孔を通してねじ込まれる倒立取付用のねじ孔とが設けられており、
上記ベース側ブラケットは、主体部と、この主体部から突出した突出部と、この突出部の上縁の鉤状の係合部とを有し、
上記ユニット側ブラケットは、側壁に対向する板部を有し、板部は、上下方向に離隔して並ぶ一対の部分を含み、一対の部分は、上下方向に互いに対向する一対の縁部を含み、一対の縁部の間にベース側ブラケットの突出部が進入可能とされ、各縁部には、ベース側ブラケットの突出部の係合部に引っ掛け係合する係合部が設けられており、
上記ベース側ブラケットおよびユニット側ブラケットの両ブラケットの係合部同士が互いに係合することにより、取付ねじを取り外した状態でベースユニットに対する表示灯支柱ユニットの取付姿勢が保持され、
上記両ブラケットの係合部同士が互いに係合した状態で、ユニット側ブラケットと固定されたハウジングがベース側ブラケットに取付ねじにより固定されることによって、上記両ブラケットがハウジングを介して互いに固定されることを特徴とする表示灯の取付構造。
【請求項２】
請求項１に記載の表示灯の取付構造において、
上記ベース側ブラケットは、側壁に沿う部分と、この部分から前方に突出し第１の電気コネクタを取り囲んで保護する保護部とを含み、
この保護部は、ベース側ブラケットの突出部により形成されていることを特徴とする表示灯の取付構造。
【請求項３】
取付対象の装置の側壁に設けられるベース側ブラケットと、側壁から装置外へ導出された第１の電気コネクタとを含むベースユニットに対して着脱自在に取り付けられる表示灯支柱ユニットであって、
表示灯と、この表示灯を上端に取り付ける支柱と、支柱の下端を固定するフレームと、フレームから延設されベース側ブラケットに係脱自在なユニット側ブラケットと、表示灯から支柱内を経由して支柱の下端から導出され第１の電気コネクタに取り外し可能に連結される第２の電気コネクタと、背面に開放部を有し、支柱の下端、ユニット側ブラケット、フレームおよび第２の電気コネクタを収容するハウジングとを含み、
このハウジングは、ユニット側ブラケットとは別体で形成されており、ユニット側ブラケットおよびフレームとは互いに固定されており、
ベースユニットおよび表示灯支柱ユニットを互いに固定するために、表示灯支柱ユニットのハウジングをベースユニットのベース側ブラケットに締結する取付ねじをハウジングの外から操作可能としてあり、
ベース側ブラケットには、取付ねじが正立状態の表示灯支柱ユニットのハウジングのねじ挿通孔を通してねじ込まれる正立取付用のねじ孔と、取付ねじが倒立状態の表示灯支柱ユニットのハウジングのねじ挿通孔を通してねじ込まれる倒立取付用のねじ孔とが設けられており、
上記ベース側ブラケットは、主体部と、この主体部から突出した突出部と、この突出部の上縁の鉤状の係合部とを有し、
上記ユニット側ブラケットは、側壁に対向する板部を有し、板部は、上下方向に離隔して並ぶ一対の部分を含み、一対の部分は、上下方向に互いに対向する一対の縁部を含み、一対の縁部の間にベース側ブラケットの突出部が進入可能とされ、各縁部には、ベース側ブラケットの突出部の係合部に引っ掛け係合する係合部が設けられており、
上記ベース側ブラケットおよびユニット側ブラケットの両ブラケットの係合部同士が互いに係合することにより、取付ねじを取り外した状態でベースユニットに対する表示灯支柱ユニットの取付姿勢が保持され、
上記両ブラケットの係合部同士が互いに係合した状態で、ユニット側ブラケットと固定されたハウジングがベース側ブラケットに取付ねじにより固定されることによって、上記両ブラケットがハウジングを介して互いに固定されることを特徴とする表示灯支柱ユニット。
【発明の詳細な説明】
【０００１】
【発明の属する技術分野】
本発明は、例えば、自動機械、生産ラインなどに設置され、材料の不足、ワークの詰まり等の各種の状態を信号報知するための表示灯に関する。特に、表示灯を取付対象の装置の側壁に取り付けるための取付構造および表示灯支柱ユニットに関する。
【０００２】
【従来の技術および発明が解決しようとする課題】
上述の取付構造では、例えば、表示灯を上端部に設けたパイプからなる支柱の下端部に支持金具を取り付け、この支持金具を、装置の側壁に複数、例えば、４本のボルトおよびナットを用いて固定する。ボルトが支持金具および装置の側壁を貫通し、ボルトの先端の雄ねじに側壁の内側からナットをねじ込むようにしている。また、表示灯へつながるリード線は、表示灯から支柱内部、支持金具、および側壁の開口部を通り、装置内に導入されて、装置内の端子台に直接接続されている。従って、表示灯を電気的に接続したり、その接続を解除するには、装置内部での配線作業が必要となる。
【０００３】
ところで、表示灯は、通例、装置本体の上部から突出して取り付けられる。また、表示灯は装置の組立時に工場等で取り付けられる。そして、装置は、組立後に設置場所に輸送される。ところが、輸送時に表示灯が装置本体の上部から突出していると、破損する虞がある。
また、表示灯の破損を防止するために、装置の輸送時に表示灯を装置から一旦取り外しておくことも考えられるが、表示灯を装置本体に対して着脱するには上述のように装置内での作業を必要とするので、着脱作業は面倒であった。
【０００４】
そこで、本発明の目的は、上述の技術的課題を解決し、取付対象である装置への着脱が容易である表示灯の取付構造および表示灯支柱ユニットを提供することである。
【０００５】
【課題を解決するための手段および発明の効果】
請求項１に記載の発明は、互いに着脱自在なベースユニットと表示灯支柱ユニットとを備え、上記ベースユニットは、取付対象の装置の側壁に取り付けられるベース側ブラケットと、上記側壁から装置外へ導出された第１の電気コネクタとを含み、上記表示灯支柱ユニットは、表示灯と、この表示灯を上端に取り付ける支柱と、支柱の下端を固定するフレームと、フレームから延設されベース側ブラケットに係脱自在なユニット側ブラケットと、表示灯から支柱内を経由して支柱の下端から導出され第１の電気コネクタに取り外し可能に連結される第２の電気コネクタと、背面に開放部を有し、支柱の下端、ユニット側ブラケット、フレームおよび第２の電気コネクタを収容するハウジングとを含み、このハウジングは、ユニット側ブラケットとは別体で形成されており、ユニット側ブラケットおよびフレームとは互いに固定されており、ベースユニットおよび表示灯支柱ユニットを互いに固定するために、表示灯支柱ユニットのハウジングをベースユニットのベース側ブラケットに締結する取付ねじをハウジングの外から操作可能としてあり、ベース側ブラケットには、取付ねじが正立状態の表示灯支柱ユニットのハウジングのねじ挿通孔を通してねじ込まれる正立取付用のねじ孔と、取付ねじが倒立状態の表示灯支柱ユニットのハウジングのねじ挿通孔を通してねじ込まれる倒立取付用のねじ孔とが設けられており、上記ベース側ブラケットは、主体部と、この主体部から突出した突出部と、この突出部の上縁の鉤状の係合部とを有し、上記ユニット側ブラケットは、側壁に対向する板部を有し、板部は、上下方向に離隔して並ぶ一対の部分を含み、一対の部分は、上下方向に互いに対向する一対の縁部を含み、一対の縁部の間にベース側ブラケットの突出部が進入可能とされ、各縁部には、ベース側ブラケットの突出部の係合部に引っ掛け係合する係合部が設けられており、上記ベース側ブラケットおよびユニット側ブラケットの両ブラケットの係合部同士が互いに係合することにより、取付ねじを取り外した状態でベースユニットに対する表示灯支柱ユニットの取付姿勢が保持され、上記両ブラケットの係合部同士が互いに係合した状態で、ユニット側ブラケットと固定されたハウジングがベース側ブラケットに取付ねじにより固定されることによって、上記両ブラケットがハウジングを介して互いに固定されることを特徴とする表示灯の取付構造を提供する。
【０００６】
この発明の表示灯の取付構造では、取付ねじをハウジングの外から取り外すと、ベースユニットのベース側ブラケットへの表示灯支柱ユニットのハウジングの締結を解除でき、また、第１および第２の電気コネクタを分離できる。従って、装置の一部を取り外すことなく、表示灯支柱ユニットを容易に取り外すことができる。また、逆の操作により容易に表示灯支柱ユニットを取り付けることができる。従って、例えば、装置の輸送時に表示灯の破損を手間をかけずに防止することができる。また、取付ねじなしで表示灯支柱ユニットを取付姿勢に保持できるので、取付ねじの脱着作業がし易い。その結果、表示灯支持ユニットをより容易に着脱できる。
【００１０】
また、表示灯支柱ユニットを正立状態に加えて、倒立状態でもベースユニットに取り付けることができる。倒立状態で表示灯支柱ユニットを装置の側壁に沿わせるようにして取り付けることができるので、装置の組立時等での表示灯の破損の可能性を低く抑ることができ、しかも、表示灯支柱ユニットを動作可能にすることができる。
【００１１】
請求項２に記載の発明は、請求項１に記載の表示灯の取付構造において、上記ベース側ブラケットは、側壁に沿う部分と、この部分から前方に突出し第１の電気コネクタを取り囲んで保護する保護部とを含み、この保護部は、ベース側ブラケットの突出部により形成されていることを特徴とする表示灯の取付構造を提供する。
【００１２】
この発明によれば、表示灯支柱ユニットを取り外した状態で、第１の電気コネクタが装置の外部に露出するとしても破損し難くできる。従って、表示灯支柱ユニットのベースユニットへの着脱作業の際に厳重な注意をせずに済むので、表示灯支柱ユニットをより一層容易に着脱できる。
請求項３に記載の発明は、取付対象の装置の側壁に設けられるベース側ブラケットと、側壁から装置外へ導出された第１の電気コネクタとを含むベースユニットに対して着脱自在に取り付けられる表示灯支柱ユニットであって、表示灯と、この表示灯を上端に取り付ける支柱と、支柱の下端を固定するフレームと、フレームから延設されベース側ブラケットに係脱自在なユニット側ブラケットと、表示灯から支柱内を経由して支柱の下端から導出され第１の電気コネクタに取り外し可能に連結される第２の電気コネクタと、背面に開放部を有し、支柱の下端、ユニット側ブラケット、フレームおよび第２の電気コネクタを収容するハウジングとを含み、このハウジングは、ユニット側ブラケットとは別体で形成されており、ユニット側ブラケットおよびフレームとは互いに固定されており、ベースユニットおよび表示灯支柱ユニットを互いに固定するために、表示灯支柱ユニットのハウジングをベースユニットのベース側ブラケットに締結する取付ねじをハウジングの外から操作可能としてあり、ベース側ブラケットには、取付ねじが正立状態の表示灯支柱ユニットのハウジングのねじ挿通孔を通してねじ込まれる正立取付用のねじ孔と、取付ねじが倒立状態の表示灯支柱ユニットのハウジングのねじ挿通孔を通してねじ込まれる倒立取付用のねじ孔とが設けられており、上記ベース側ブラケットは、主体部と、この主体部から突出した突出部と、この突出部の上縁の鉤状の係合部とを有し、上記ユニット側ブラケットは、側壁に対向する板部を有し、板部は、上下方向に離隔して並ぶ一対の部分を含み、一対の部分は、上下方向に互いに対向する一対の縁部を含み、一対の縁部の間にベース側ブラケットの突出部が進入可能とされ、各縁部には、ベース側ブラケットの突出部の係合部に引っ掛け係合する係合部が設けられており、上記ベース側ブラケットおよびユニット側ブラケットの両ブラケットの係合部同士が互いに係合することにより、取付ねじを取り外した状態でベースユニットに対する表示灯支柱ユニットの取付姿勢が保持され、上記両ブラケットの係合部同士が互いに係合した状態で、ユニット側ブラケットと固定されたハウジングがベース側ブラケットに取付ねじにより固定されることによって、上記両ブラケットがハウジングを介して互いに固定されることを特徴とする表示灯支柱ユニットを提供する。
【００１３】
この発明の表示灯支柱ユニットによれば、装置の側壁に設けられるベース側ブラケットと第１の電気コネクタに対して、上述の請求項１で説明した作用効果を得ることができる。
【００１４】
【発明の実施の形態】
本発明の一実施形態の表示灯の取付構造を説明する。図１は、本発明の一実施形態の表示灯の取付構造を示す一部断面側面図である。
本取付構造１は、表示灯５を取付対象としての装置の側壁２に取り付ける。側壁２は、鉛直方向に沿う外面を有している。この外面に第１および第２のブラケット２１，２２、フレーム２３等を含む基端部６を取り付け、この基端部６を介して支柱７を立設している。支柱７は基端部６から略鉛直方向に沿って上方へ向けて延びていて、支柱７の上端８に表示灯５を取り付けてある。表示灯５は、例えば、装置の上面３よりも上方に突出して配置される。
【００１５】
なお、以下では、表示灯５の側壁２に対する通常の取付姿勢を基に方向を説明する。すなわち、側壁２に直交する方向を前後方向とし、側壁２に対して表示灯５が取り付けられる側を前側とする。また、支柱７の延びる方向を上下方向として、基端部６に対して表示灯５のある側を上側とする。また、上下方向および前後方向にともに直交する方向を左右方向とする。
表示灯５は、発光して信号を表示する表示部５１と、表示部５１の頂部に載置されるカバー５２と、表示部５１の下方に連設されて点滅等のための回路基板（図示せず）等を収容するケース５３と、ケース５３の下部に設けられて支柱７を取り付けるための取付部材５４とを有している。取付部材５４に支柱７の上端８が固定されている。
【００１６】
表示部５１は、光を発する複数のＬＥＤ等の光源５５と、この光源５５からの光を反射する反射部材（図示せず）と、反射部材と光源５５等を覆いつつ光を透過するグローブ５６とを有している。表示部５１は略円柱形状をなし、その外周面のほぼ全体に信号の表示面を有している。なお、複数の表示部５１を上下に積層して配置してもよい。
表示部５１の光源５５は、図示していないが、ケース５３内の回路基板と電気的に接続されている。回路基板は、複数のリード線からなる電気配線により、装置内部４の回路、例えば、端子台に接続される。電気配線は、ケース５３から取付部材５４、支柱７、ハウジング２４のそれぞれの内部を通り、一対の電気コネクタ３１，３２を介して、装置の側壁２の孔１２を通り、装置内部４に導入されている。
【００１７】
電気配線を通じて送られた信号に応答して、表示部５１では、光源５５が発光する。そして、光源５５から照射された光が、直接にまたは反射部材により反射されて、グローブ５６を透過し放光される。
なお、表示灯５としては、上述のものの他、例えば、光源５５として電球を用いたもの、反射部材が省略されたもの、ケース５３内の回路基板が省略されて電気配線が光源５５や光源５５の近傍に配置される回路基板に直接に接続されるものも考えられる。。
【００１８】
ところで、表示灯５が装置の上面３から突出する場合、装置の組立時や輸送時に表示灯５が破損する虞がある。また、このような事態を防止するために、一旦取り付けた表示灯５を脱着することは、面倒な作業となっていた。これに対して、本発明では表示灯５を容易に脱着することができる。
本発明の取付構造１は、互いに着脱自在なベースユニット１４と表示灯支柱ユニット１５とを有している。ベースユニット１４は、ベース側ブラケットとしての第１のブラケット２１と、第１の電気コネクタ３１とを含んでいる。表示灯支柱ユニット１５は、表示灯５と、支柱７と、フレーム２３と、ユニット側ブラケットとしての第２のブラケット２２と、第２の電気コネクタ３２と、ハウジング２４とを含んでいる。特に、本取付構造１では、互いに係合された第１および第２のブラケット２１，２２を互いに固定する取付ねじ２５をハウジング２４の外から操作可能としてある。
【００１９】
本発明の取付構造１では、取付ねじ２５をハウジング２４の外から取り外すと、第１および第２のブラケット２１，２２の係合を解除でき、また、第１および第２の電気コネクタ３１，３２を分離できる。従って、装置の一部、例えば、側壁２を取り外すことなく、表示灯支柱ユニット１５を手間をかけずに容易に取り外すことができる。また、逆の操作により表示灯支柱ユニット１５を第１のブラケット２１に対して手間をかけずに容易に取り付けることができる。
【００２０】
また、表示灯支柱ユニット１５は、表示灯５、支柱７、基端部６の一部等を含む一体的に扱えるユニットに構成されているので、丸ごと着脱でき、表示灯支柱ユニット１５を着脱するのに都合がよい。
図２の断面側面図および図３の分解斜視図を参照する。
第１のブラケット２１は、板金若しくは樹脂、アルミニウム等の成形部品からなり、取付対象の装置の側壁２に取り付けられていて、側壁２に形成された挿通孔１３を通された複数、例えば、４つのボルト２６とナット２７とにより固定されている。
【００２１】
第１のブラケット２１は、正面視で略矩形の板状の主体部６０と、この主体部６０の上下の周縁部から前方に突出する一対の第１突出部６１と、主体部６０の左右の周縁部から前方に突出する一対の第２突出部６２とを有している。第２突出部６２は、その上縁に形成された凹部６４と、この凹部６４の周縁となり第２のブラケット２２と係合する鉤状の係合部６５とを有している。凹部６４内に第２のブラケット２２が嵌まり込み、引っ掛け係合し、前後方向および下方への移動を規制される。第１突出部６１は、側方視で略Ｌ字形形状をなす。第１突出部６１は、取付ねじ２５がねじ込まれるねじ孔６６を有し、雌ねじを形成されている。主体部６０は、四隅に形成されてボルト２６が通る複数、例えば、４つの挿通孔６７と、中央部に形成されて第１の電気コネクタ３１を保持する保持孔６８とを有している。
【００２２】
また、第１のブラケット２１は、側壁２に沿う部分としての上述の主体部６０と、この主体部６０から前方に突出し第１の電気コネクタ３１を取り囲んで保護する保護部としての上述の第１および第２突出部６１，６２とを有している。第１および第２突出部６１，６２の側壁２からの突出量は、保持孔６８に保持された第１の電気コネクタ３１の前方への突出量と、ほぼ同程度か、それよりも大きくなるようにされている。
【００２３】
このように、第１のブラケット２１の第１および第２突出部６１，６２が第１の電気コネクタ３１を取り囲んで保護するようにしていることにより、表示灯支柱ユニット１５を取り外した状態で、第１の電気コネクタ３１が装置の外部に露出するとしても破損し難くできる。従って、表示灯支柱ユニット１５のベースユニット１４への着脱作業の際に厳重な注意をせずに済むので、表示灯支柱ユニット１５をより一層容易に着脱できる。
【００２４】
第２のブラケット２２は、第１のブラケット２１に係脱自在に構成されていて、第１および第２のブラケット２１，２２の係合部６５，７５同士が、引っ掛け係合でき、またはこの係合状態から離脱することができる。
第２のブラケット２２とフレーム２３とは板金材料により一体に形成されている。第２のブラケット２２は、フレーム２３の後部に延設されている。第２のブラケット２２は、平面視で略Ω字形状をなしている。第２のブラケット２２は、その後端部にありハウジング２４および第１のブラケット２１と係合するための正面視で略コの字形状の一対の板部７１と、一対の板部７１の互いに近い側の端縁同士を接続する平面視で略Ｕ字形形状をなす接続部７２とを有している。一対の板部７１には挿通孔７３が形成され、挿通孔７３を通したボルト２８が第２のブラケット２２をハウジング２４にねじ止め固定する。また、板部７１は、コの字形状の内側に、第１のブラケット２１の第２突出部６２が進入できるようにされていて、コの字形状の内側周縁の上側部分に係合部７５を有している。また、後述するように、倒立状態で取付可能とされる場合には、板部７１は、コの字形状の内側周縁の下側部分にも係合部７６を有している。
【００２５】
フレーム２３は、支柱７の下端９を挿通させて固定する一対の環状部８１，８２と、一対の環状部８１，８２の後部同士を接続する連結部８３とを有している。一対の環状部８１，８２は支柱７の軸方向となる上下方向に沿って所定距離を隔てて並んでいる。連結部８３は、第２のブラケット２２の接続部７２の前部と一体に形成されている。連結部８３には、貫通する孔８４に雌ねじが形成されていて、ボルトからなる止めねじ２９をねじ込まれる。止めねじ２９は、フレーム２３の孔８４にねじ係合することにより、支柱７の周面を一方から押し、反対側となる支柱７の周面を一対の環状部８１，８２の内周縁に押し付けて、支柱７を固定する。
【００２６】
また、止めねじ２９はハウジング２４の背面４１の開放部４２を介して操作可能とされている。これにより、止めねじ２９操作用の孔を開放部４２により兼用でき、ハウジング２４の外側に露出させないで済むので、防水性を高めるのに好ましい。
ハウジング２４は、上面に支柱７の下端９を通す孔４３と、側壁２側となる背面４１に開放部４２とを有している。この開放部４２を通して、ハウジング２４の内部が開放される。開放部４２の周縁および孔４３の周縁には、ゴム等の弾性材からなる環状のシール部材３３，３４が取り付けられている。ハウジング２４が側壁２に沿って取り付けられた取付姿勢では、開放部４２は塞がれて、ハウジング２４の内部は封止される。
【００２７】
ハウジング２４の内部には、支柱７の下端９、フレーム２３、第２のブラケット２２、第２の電気コネクタ３２、リード線の一部等が収容されている。また、装置の側壁２に取り付けられた状態のハウジング２４の内部には、第１のブラケット２１および第１の電気コネクタ３１の一部も収容される。
ハウジング２４には、一対のねじ孔４７が背面４１側に形成されている。ボルト２８が、第２のブラケット２２の挿通孔７３を通して、ねじ孔４７にねじ込まれ、これにより、第２のブラケット２２およびフレーム２３がハウジング２４に固定される。この状態で、フレーム２３の一対の環状部８１，８２の前部は、ハウジング２４の内部の最奥部に形成された一対の溝４４，４５に嵌まるようにされている。一対の溝４４，４５は、支柱７の周方向に沿うように円弧状をなし、フレーム２３を上下方向、左右方向および前方に位置決めして保持する。また、下側の溝４５の下方に、平面視で円弧状をなす突部４６を有している。この突部４６は、支柱７を支持する。
【００２８】
また、ハウジング２４は、取付ねじ２５のための単一のねじ挿通孔としての座ぐり孔４８を有している。座ぐり孔４８は、正面視で支柱７を回避した位置となる支柱７の下方に配置されている。座ぐり孔４８は前後方向に延び、前方から座ぐり孔４８に取付ねじ２５を通し、取付ねじ２５を第１のブラケット２１のねじ孔６６にねじ込むことにより、ハウジング２４を介して、第１および第２のブラケット２１，２２を互いに固定することができる。
【００２９】
このように、取付ねじ２５は唯一設けられていることにより、ねじ止め作業の手間を最小に軽減することができ、表示灯支柱ユニット１５をより一層容易に着脱できる。
第１の電気コネクタ３１は、側壁２の孔１２を通して装置の外部１１へ導出されている。第１の電気コネクタ３１は、装置内部へつながる側の電気配線に設けられている。第１の電気コネクタ３１は、複数のリード線の一方の端部にかしめられた複数の端子と、これら端子を収容して保持するコネクタハウジングとを有している。コネクタハウジングは、第１のブラケット２１の保持孔６８の周縁に引っ掛けられて保持されていて、正面側で第２の電気コネクタ３２と接続可能とされている。
【００３０】
第２の電気コネクタ３２は、第１の電気コネクタ３１に取り外し可能に連結される。第２の電気コネクタ３２は、表示灯５へつながる側の電気配線に設けられている。第２の電気コネクタ３２は、複数のリード線の一方の端部にかしめられた複数の端子と、これら端子を収容して保持するコネクタハウジングとを有している。リード線は、他方の端部側となる表示灯５から支柱７の内部１０を経由して支柱７の下端９から導出されて、一方の端部の第２の電気コネクタ３２につながっている。第１および第２の電気コネクタ３１，３２では、対応する端子同士が互いに接触して導通可能に接続され、コネクタハウジング同士が係合することによりこの接続状態を保持する。
【００３１】
第２の電気コネクタ３２をハウジング２４の開放部４２を通してハウジング２４の外へ所定距離で引き出すことができるように、且つ第２の電気コネクタ３２をハウジング２４内に収容できるように、リード線は長さに余裕がある所定長さで支柱７の下端９から端子につながっている。これにより、両電気コネクタ３１，３２同士の接続と、両ブラケット２１，２２同士の係合とを別々にできるので、表示灯支柱ユニット１５をより一層容易に接続することができる。
【００３２】
表示灯支柱ユニット１５の取付作業を説明する。先ず、表示灯支柱ユニット１５を組み立てる。また、装置の側壁２にベースユニット１４を取り付けておく。次に、表示灯支柱ユニット１５を、ベースユニット１４に取り付ける。
このとき、図４に示すように、先ず、第１および第２の電気コネクタ３１，３２を接続し、次に、第１および第２のブラケット２１，２２を互いに係合させる。すなわち、第１の電気コネクタ３１と接続された第２の電気コネクタ３２をハウジング２４内に収容しつつ、ハウジング２４をベースユニット１４に正面から接近させる。そして、表示灯支柱ユニット１５のハウジング２４の背面４１を側壁２に沿わせ、側壁２に沿ってハウジング２４を下方に少し移動させると取付姿勢となり、第１および第２のブラケット２１，２２が互いに係合する（図５参照）。そして、単一の取付ねじ２５を正面から座ぐり孔４８に入れて、第１のブラケット２１のねじ孔６６にねじ込む。これで、取付作業は完了する。
【００３３】
表示灯支柱ユニット１５を側壁２から取り外す場合には、上述と逆の手順とすればよい。すなわち、取付ねじ２５を正面から取り外す。そして、ハウジング２４を側壁２に沿わせて少し持ち上げて、前方に移動させると、第１のブラケット２１と、第１および第２の電気コネクタ３１，３２が露出される。両電気コネクタ３１，３２を分離させると、表示灯支柱ユニット１５をまるごと取り外すことができる。
【００３４】
また、本実施形態の取付構造１では、第１および第２のブラケット２１，２２が互いに係合することにより、取付ねじ２５を取り外した状態で表示灯支柱ユニット１５のベースユニット１４に対する取付姿勢が保持されるようにしている。これにより、取付ねじ２５なしで表示灯支柱ユニット１５を取付姿勢に保持した仮止め状態にできるので、取付ねじ２５の脱着作業がし易い。その結果、表示灯支柱ユニット１５をより一層容易に着脱できる。
【００３５】
また、本実施形態の取付構造１では、図６および図７に示すように、ベースユニット１４および表示灯支柱ユニット１５は、表示灯支柱ユニット１５をベースユニット１４に取り付けるときに、第１および第２のブラケット２１，２２が互いに係合するように案内する案内手段としての案内部６９，４９をそれぞれ有している。
案内部６９は、ベースユニット１４の第１のブラケット２１に一対が設けられている。一対の案内部６９は、左右に並び、一対の第２突出部６２の互いに遠い側の面に形成されている。
【００３６】
案内部４９は、ハウジング２４の内部に左右に並んで一対で設けられ、ハウジング２４の内部で互いに対向する左右側面に一体に形成されている。
表示灯支柱ユニット１５をベースユニット１４に対して取り付けるときに、ハウジング２４を第１のブラケット２１に正面から接近させると、ハウジング２４の一対の案内部４９の間に、第１のブラケット２１の一対の第２突出部６２が進入し、これの一対の案内部６９が、案内部４９により左右方向に位置規制されつつ、前後方向に移動する。そして、ハウジング２４の背面４１が側壁２に達すると、第１および第２のブラケット２１，２２は、前後方向に所定の位置に位置決めされ、左右方向および上下方向に概ね所定の位置に位置決めされて、互いに係合し易い状態になる。そして、この状態からハウジング２４をそのまま下方に下ろすと、第１および第２のブラケット２１，２２の係合部６５，７５同士が互いに係合し、表示灯支柱ユニット１５を仮止め状態に容易にできる。
【００３７】
案内手段を設けることにより、両ブラケット２１，２２がハウジング２４内にあり見えない状態であったとしても、両ブラケット２１，２２を互いに係合することが容易にできるので、表示灯支柱ユニット１５をより一層容易に着脱できる。
また、本実施形態の取付構造１では、表示灯支柱ユニット１５を、通常の取付姿勢である正立状態に加えて、その上下を逆にした取付姿勢である倒立状態で側壁２に取り付けることができるようにされている。すなわち、図１に示すように、正立状態では、第２のブラケット２２の係合部７５は、第１のブラケット２１の係合部６５に対して係合可能とされている。第１のブラケット２１の下側のねじ孔６６には、正立状態の表示灯支柱ユニット１５の取付ねじ２５が係合する。また、図８に示すように、倒立状態では、第２のブラケット２２の係合部７６は、第１のブラケット２１の係合部６５に対して係合可能とされている。第１のブラケット２１の上側のねじ孔６６には、倒立状態の表示灯支柱ユニット１５の取付ねじ２５が係合する。なお、倒立状態と正立状態とで、互いに係合する係合部およびねじ孔を兼用してもよい。
【００３８】
表示灯支柱ユニット１５の正立状態と倒立状態とを切り換えるには、取付ねじ２５を取り外し、表示灯支柱ユニット１５を上下逆にして、その状態に対応する係合関係で第１および第２のブラケット２１，２２を係合し、取付ねじ２５を再度ねじ込めばよい。このとき、第１および第２の電気コネクタ３１，３２を接続したままとしてもよいし、一旦接続を解除してもよい。
ところで、装置の組立時には、表示灯５を組み付けて、動作の確認や検査を行なうことがある。このような場合に、正立状態の表示灯５を取り付けたままで装置の組立作業を行なっていると、表示灯５を破損する虞がある。しかし、本実施形態では、倒立状態で表示灯支柱ユニットを装置の側壁に沿わせるようにして取り付けることができるので、装置の組立時等での表示灯の破損の可能性を低く抑ることができ、しかも、表示灯支柱ユニットを動作可能にすることができる。
【００３９】
また、倒立状態の表示灯支柱ユニット１５であれば、装置の輸送時に表示灯５の破損を防止することができる。
また、表示灯支柱ユニット１５は、一旦取り外されて後、倒立状態に取り付けるようにされている。この場合には、ベースユニット１４の周囲に、表示灯支柱ユニット１５を回転させるスペースがない場合でも、正立状態と倒立状態とに取付姿勢を異ならせることができる。
【００４０】
このように本発明の実施形態によれば、取付対象である装置の側壁２への着脱が容易な表示灯５の取付構造１を実現することができる。従って、装置の組立時や輸送時等に、表示灯支柱ユニット１５を装置から取り外し、表示灯支柱ユニット１５の破損を手間をかけずに防止することができる。
また、装置の側壁２にベースユニット１４を取り付けることで、装置内部４側の電気配線の配線作業および、電気配線の検査作業を済ませておくことができる。そして、検査後に表示灯支柱ユニット１５を取り付ければよいので、表示灯５に誤った電気配線をする虞がない。また、装置内の電気配線の配線作業や検査作業の間、表示灯支柱ユニット１５を側壁２に取り付けておかずに済み、保管しておくことができる。従って、表示灯支柱ユニット１５が装置の組立作業の邪魔にならず、また、この作業の際に表示灯支柱ユニット１５を破損する虞もない。
【００４１】
なお、上述の取付ねじ２５は、唯一設けられていたが、複数個を設けることも考えられる。また、取付ねじ２５は、第１のブラケット２１に形成されたねじ孔６６にねじ込まれるようにされていたが、第１のブラケット２１に取り付けられたナットの雌ねじにねじ込まれるようにすることも考えられる。
また、第１のブラケット２１は、側壁２と別体で形成されていて、側壁２にボルト２６とナット２７とを用いて固定されていたが、これには限定されない。例えば、側壁２に一体に形成された雌ねじにボルトをねじ込むことにより、第１のブラケット２１を固定することも考えられる。また、第１のブラケット２１を側壁２に一体に形成することも考えられる。すなわち、表示灯支柱ユニット１５は、取付対象の装置の側壁２に設けられる第１のブラケット２１と、側壁２から装置外へ導出された第１の電気コネクタ３１とを含むベースユニット１４に対して着脱自在に取り付けられるものとしてもよい。この場合には、上述の実施形態と同様に構成した表示灯支柱ユニット１５を用いて、装置の側壁２に設けられる第１のブラケット２１と第１の電気コネクタ３１に対して、上述の実施形態の取付構造１と同様の作用効果を得ることができる。
【００４２】
その他、本発明の要旨を変更しない範囲で種々の設計変更を施すことが可能である。
【図面の簡単な説明】
【図１】本発明の一実施形態の表示灯の取付構造を示す一部断面側面図である。
【図２】図１の取付構造の要部を示す一部断面側面図である。
【図３】図２に示す取付構造の分解斜視図である。
【図４】図２の取付構造の取付作業を説明する側面図である。
【図５】図４に続く状態の取付作業を説明する取付構造の側面図である。
【図６】図２の取付構造の案内部を説明する説明図であり、（ａ）に表示灯支柱ユニットを後方から見た図を、（ｂ）にベースユニットを正面から見た図を示す。
【図７】図２の取付構造の案内部の断面平面図である。
【図８】図２の取付構造の倒立状態での取付作業を説明する側面図である。
【符号の説明】
１  取付構造
２  装置の側壁
５  表示灯
７  支柱
８  支柱の上端
９  支柱の下端
１０  支柱の内部
１１  装置の外部
１４  ベースユニット
１５  表示灯支柱ユニット
２１  第１のブラケット（ベース側ブラケット）
２２  第２のブラケット（ユニット側ブラケット）
２３  フレーム
２４  ハウジング
２５  取付ねじ
２９  止めねじ
３１  第１の電気コネクタ
３２  第２の電気コネクタ
４１  ハウジングの背面
４２  開放部
４８  座ぐり孔（ねじ挿通孔）
６０  第１のブラケットの主体部（側壁に沿う部分）
６１  第１突出部（保護部）
６２  第２突出部（保護部、突出部）
６５，７５，７６  係合部
６６  ねじ孔
７１  板部
【図１】
0004092891.tif 000002
【図２】
0004092891.tif 000003
【図３】
0004092891.tif 000004
【図４】
0004092891.tif 000005
【図５】
0004092891.tif 000006
【図６】
0004092891.tif 000007
【図７】
0004092891.tif 000008
【図８】
0004092891.tif 000009